(57)【要約】【課題】  補給樋内の遊技玉の流下状況に応じて補給樋の加熱装置の制御を最適に行って遊技玉の除湿を確実に行うことができる遊技島台を提供する。【解決手段】  Ｓ６８で玉抜き装置が閉鎖状態となっていると判別されたときに温度検知手段によって検出される温度が予め設定された温度範囲内となるように加熱手段をＯＮ状態とＯＦＦ状態とに切換制御するＳ７０の温度制御処理１を実行する一方、Ｓ６８で玉抜き装置が開放状態となっていると判別されたときにＳ６９の加熱手段である第１ヒータ群の電源をＯＮ状態に保持制御するので、玉抜き装置の閉鎖状態時に所定の温度範囲内で補給樋の温度が保持されるため補給樋を流下する遊技玉が過剰に予熱されることもない一方、玉抜き装置の開放状態時に加熱装置が通電状態に保持されるため、補給樋を流下する遊技玉の温度が低下することなく十分な除湿機能を保持することができるものである。【選択図】    図１５
2009050497.tif 000002
【特許請求の範囲】
【請求項１】
複数の遊技機が列設されると共に、その複数の遊技機で使用される遊技玉を流下誘導する補給樋が傾斜状に設けられる遊技島台において、
前記補給樋には、該補給樋自体をＯＮ状態で加熱しＯＦＦ状態で加熱しない加熱装置と、前記補給樋の温度を検知する温度検知手段と、前記補給樋の傾斜下流端部分に設けられて当該補給樋内の遊技玉を抜き取る開放状態と抜き取らない閉鎖状態とに切り換えられる玉抜き装置と、が設けられると共に、前記遊技島台には、前記加熱装置を制御する制御手段が設けられ、
前記制御手段は、前記玉抜き装置が閉鎖状態となっているときに前記温度検知手段によって検出される温度が予め設定された温度範囲内となるように前記加熱装置をＯＮ状態とＯＦＦ状態とに切換制御する一方、前記玉抜き装置が開放状態となっているときに前記加熱装置をＯＮ状態に保持制御することを特徴とする遊技島台。
【請求項２】
複数の遊技機が列設されると共に、その複数の遊技機で使用される遊技玉を流下誘導する補給樋が傾斜状に設けられる遊技島台において、
前記補給樋には、該補給樋自体をＯＮ状態で加熱しＯＦＦ状態で加熱しない加熱装置と、前記補給樋の温度を検知する温度検知手段と、前記補給樋の傾斜下流端部分に設けられて当該補給樋内の遊技玉を抜き取る開放状態と抜き取らない閉鎖状態とに切り換えられる玉抜き装置と、が設けられると共に、前記遊技島台には、前記加熱装置を制御する制御手段が設けられ、
前記制御手段は、前記玉抜き装置が閉鎖状態となっているときに前記温度検知手段によって検出される温度が予め設定された第１の温度範囲内となるように前記加熱装置をＯＮ状態とＯＦＦ状態とに切換制御する一方、前記玉抜き装置が開放状態となっているときに前記温度検知手段によって検出される温度が前記第１の温度範囲の上限温度及び下限温度よりもそれぞれ高い予め設定された第２の温度範囲内となるように前記加熱装置をＯＮ状態とＯＦＦ状態とに切換制御することを特徴とする遊技島台。
【請求項３】
前記制御手段は、前記玉抜き装置が前記閉鎖状態から前記開放状態に切り換わったときに、前記加熱装置をＯＮ状態に保持制御し、その後前記第２の温度範囲内となるように前記加熱装置をＯＮ状態とＯＦＦ状態とに切換制御に移行することを特徴とする請求項２記載の遊技島台。
【請求項４】
前記遊技島台の外部に設けられ且つ温度設定手段と制御開始指令手段とを有する管理端末装置が前記制御手段に接続されると共に、前記制御開始指令手段によって制御開始指令が入力され且つ前記温度設定手段によって設定される設定温度が当該制御手段に入力されることに基づいて、前記制御手段が前記設定温度に基いて算出される前記上限温度と前記下限温度との温度範囲内で前記切換制御を実行することを特徴とする請求項１乃至請求項３のいずれかに記載の遊技島台。
【発明の詳細な説明】
【技術分野】
【０００１】
本発明は、複数の遊技機が列設されると共に、その複数の遊技機で使用される遊技玉を流下誘導する補給樋が傾斜状に設けられる遊技島台に関するものである。
【背景技術】
【０００２】
従来、複数の遊技機が列設される遊技島台の内部上方に、その複数の遊技機で使用される遊技玉を流下誘導する補給樋が傾斜状に設けられているが、遊技機に補給する遊技玉の湿気を除去するために補給樋にヒータを設けてヒータ自体を暖めることにより、補給樋を流下する遊技玉の湿気を除去したり、あるいは実開昭６０−７３５８３号公報（以下、「特許文献１」という。）に示されるように補給樋を密閉状に形成してその密閉状の樋内に熱風を供給して補給玉を流下する遊技玉の湿気を除去したりしていた。そして、それらのヒータや熱風装置は、補給樋に設けられる温度センサや湿度センサの検知温度又は検知湿度によってＯＮ状態やＯＦＦ状態に制御されるようになっていた。
【特許文献１】実開昭６０−７３５８３号公報（第１図）
【発明の開示】
【発明が解決しようとする課題】
【０００３】
しかし、上記した特許文献１に記載される遊技島台においては、設定装置で設定した値と温度検出装置が検出した値とを比較回路で比較してそれらが一致するまで熱風装置をＯＮ状態とし、一致したときに熱風装置をＯＦＦ状態とするものであった。この場合、一般的に補給樋の末端に設けられる玉抜き装置の開放状態と閉鎖状態とに関係なく同じ条件で熱風装置を制御しているため、例えば、開放状態に除湿が十分にできる温度（相対的に高い温度）に設定温度を設定した場合には、閉鎖状態時に補給樋を流れる遊技玉の温度が高くなりすぎてしまい、逆に、閉鎖状態に除湿が十分にできる温度（相対的に低い温度）に設定温度を設定した場合には、開放状態時に補給樋を流れる遊技玉の温度が低くなって十分な除湿をすることができないという欠点があった。
【０００４】
本発明は、上記した事情に鑑みなされたもので、その目的とするところは、補給樋内の遊技玉の流下状況に応じて補給樋の加熱装置の制御を最適に行って遊技玉の除湿を確実に行うことができる遊技島台を提供することにある。
【課題を解決するための手段】
【０００５】
上記した目的を達成するために、請求項１に記載の発明においては、複数の遊技機が列設されると共に、その複数の遊技機で使用される遊技玉を流下誘導する補給樋が傾斜状に設けられる遊技島台において、前記補給樋には、該補給樋自体をＯＮ状態で加熱しＯＦＦ状態で加熱しない加熱装置と、前記補給樋の温度を検知する温度検知手段と、前記補給樋の傾斜下流端部分に設けられて当該補給樋内の遊技玉を抜き取る開放状態と抜き取らない閉鎖状態とに切り換えられる玉抜き装置と、が設けられると共に、前記遊技島台には、前記加熱装置を制御する制御手段が設けられ、前記制御手段は、前記玉抜き装置が閉鎖状態となっているときに前記温度検知手段によって検出される温度が予め設定された温度範囲内となるように前記加熱装置をＯＮ状態とＯＦＦ状態とに切換制御する一方、前記玉抜き装置が開放状態となっているときに前記加熱装置をＯＮ状態に保持制御することを特徴とする。
【０００６】
また、請求項２に記載の発明においては、複数の遊技機が列設されると共に、その複数の遊技機で使用される遊技玉を流下誘導する補給樋が傾斜状に設けられる遊技島台において、前記補給樋には、該補給樋自体をＯＮ状態で加熱しＯＦＦ状態で加熱しない加熱装置と、前記補給樋の温度を検知する温度検知手段と、前記補給樋の傾斜下流端部分に設けられて当該補給樋内の遊技玉を抜き取る開放状態と抜き取らない閉鎖状態とに切り換えられる玉抜き装置と、が設けられると共に、前記遊技島台には、前記加熱装置を制御する制御手段が設けられ、前記制御手段は、前記玉抜き装置が閉鎖状態となっているときに前記温度検知手段によって検出される温度が予め設定された第１の温度範囲内となるように前記加熱装置をＯＮ状態とＯＦＦ状態とに切換制御する一方、前記玉抜き装置が開放状態となっているときに前記温度検知手段によって検出される温度が前記第１の温度範囲の上限温度及び下限温度よりもそれぞれ高い予め設定された第２の温度範囲内となるように前記加熱装置をＯＮ状態とＯＦＦ状態とに切換制御することを特徴とする。
【０００７】
また、請求項３に記載の発明においては、請求項２記載の遊技島台において、前記制御手段は、前記玉抜き装置が前記閉鎖状態から前記開放状態に切り換わったときに、前記加熱装置をＯＮ状態に保持制御し、その後前記第２の温度範囲内となるように前記加熱装置をＯＮ状態とＯＦＦ状態とに切換制御に移行することを特徴とする。
【０００８】
また、請求項４に記載の発明においては、請求項１乃至請求項３のいずれかに記載の遊技島台において、前記遊技島台の外部に設けられ且つ温度設定手段と制御開始指令手段とを有する管理端末装置が前記制御手段に接続されると共に、前記制御開始指令手段によって制御開始指令が入力され且つ前記温度設定手段によって設定される設定温度が当該制御手段に入力されることに基づいて、前記制御手段が前記設定温度に基いて算出される前記上限温度と前記下限温度との温度範囲内で前記切換制御を実行することを特徴とする。
【発明の効果】
【０００９】
請求項１に記載の発明においては、玉抜き装置が閉鎖状態となっているときに温度検知手段によって検出される温度が予め設定された温度範囲内となるように加熱装置をＯＮ状態とＯＦＦ状態とに切換制御する一方、玉抜き装置が開放状態となっているときに加熱装置をＯＮ状態に保持制御するので、玉抜き装置の閉鎖状態時に所定の温度範囲内で補給樋の温度が保持されるため補給樋を流下する遊技玉が過剰に予熱されることもない一方、玉抜き装置の開放状態時に加熱装置が通電状態に保持されるため、補給樋に対し常時熱量が加えられ当該補給樋を流下する遊技玉の温度が低下することなく十分な除湿機能を保持することができる。
【００１０】
請求項２に記載の発明においては、玉抜き装置が閉鎖状態となっているときに温度検知手段によって検出される温度が予め設定された第１の温度範囲内となるように加熱装置をＯＮ状態とＯＦＦ状態とに切換制御する一方、玉抜き装置が開放状態となっているときに温度検知手段によって検出される温度が第１の温度範囲の上限温度及び下限温度よりもそれぞれ高い予め設定された第２の温度範囲内となるように加熱装置をＯＮ状態とＯＦＦ状態とに切換制御するので、玉抜き装置の閉鎖状態時に所定の温度範囲内で補給樋の温度が保持されるため補給樋を流下する遊技玉が過剰に予熱されることもない一方、玉抜き装置の開放状態時に閉鎖状態時の温度範囲の上限温度及び下限温度よりもそれぞれ高い温度範囲で補給樋の温度が保持されるため、補給樋を流下する遊技玉が過剰に予熱されることもないと共に当該補給樋を流下する遊技玉の温度が低下することなく十分な除湿機能を保持することができる。
【００１１】
請求項３に記載の発明においては、請求項２に係る発明の制御を行う場合に、玉抜き装置が閉鎖状態から開放状態に切り換わったときに、加熱装置をＯＮ状態に保持制御し、その後第２の温度範囲内となるように加熱装置をＯＮ状態とＯＦＦ状態とに切換制御に移行するようにしたので、第２の温度範囲への移行をスムーズに行うことができる。
【００１２】
請求項４に記載の発明においては、制御開始指令手段によって制御開始指令が入力され且つ温度設定手段によって設定される設定温度が当該制御手段に入力されることに基づいて、制御手段による上限温度と下限温度との温度範囲内で切換制御が実行されるので、制御すべき当日の気温や湿度に応じたきめ細かな制御を実現することができる。
【発明を実施するための最良の形態】
【００１３】
以下、図面を参照して本発明の実施の形態について説明する。まず、図１を参照して実施形態に係る遊技島台１の構成について説明する。図１は、遊技島台１の内部構造の概略を示す正面図である。
【００１４】
図１において、遊技島台１は、例えば、遊技機としてのパチンコ機（図示しない）を設置し得る遊技機設置部２を横方向に複数台設置できるように縦桟や横桟を枠組みすることにより構成されている。また、遊技島台１に設置される遊技機がパチンコ機である場合には、多くの場合、パチンコ機の間に玉貸機（図示しない）が挟持されるように設置される。もちろん、遊技島台に設置される遊技機として、パチンコ機に限られることはなく、遊技玉を使用して遊技を行なう遊技機であればどのような遊技機でも良い。
【００１５】
また、遊技島台１のほぼ中央には、遊技機で使用した遊技玉を下方から上方に研磨揚送する玉揚送装置（図示しない；「還元機」と表示する場合もある。）を配置収納する直方体状の玉揚送機収納部３が形成され、その玉揚送機収納部３の左右に上述した遊技機設置部２が配列されている。また、玉揚送機収納部３には、その一側面（図示の手前側面）に上下２つの点検扉４，５が設けられている。上部の点検扉４は、遊技機設置部２の下端から上端までの玉揚送機収納部３の一側面を覆うドアー状の開閉扉であり、下部の点検扉５は、玉揚送装置の下部の後述する下部タンク２０との接続部に対応するスライド式の開閉扉である。そして、点検扉４を開放したことが第１点検扉センサ７によって検出され、点検扉５を開放したことが第２点検扉センサ８によって検出されるようになっている。なお、点検扉４，５は、研磨ベルトの交換等で玉揚送装置を点検する際や、後述するスイッチパネル２３を操作する際、あるいは揚送機電源ユニット２２を操作する際に開閉するものである。
【００１６】
上記した玉揚送機収納部３の内部に収納される玉揚送機によって研磨揚送された遊技玉は、玉揚送機収納部３の上部側方に設置される上部タンク６に排出されて一時的に貯留され、その後、該上部タンク６から遊技島台１の左右両端部に向って傾斜状に設けられる補給樋９，１０に振り分けられる。上部タンク６から一側（図１の右側）に向かって傾斜状に設けられる第１補給樋９の底面裏側には、上流側から下流側に向って３つに分断された加熱手段としての第１ヒータ１１ａ〜１１ｃが取り付けられ、最下流側の第１ヒータ１１ｃに第１補給樋９の温度を検出する温度検知手段としての第１サーミスタ１３が取り付けられている。また、第１補給樋９には、遊技機設置部２に対応するように第１補給樋９を流下する遊技玉を分流して遊技機及び隣接する玉貸機に供給するための分離器１５が設けられていると共に、第１補給樋９の下流端に第１玉抜き装置１６が取り付けられている。この第１玉抜き装置１６は、当該第１補給樋９内の遊技玉を抜き取る開放状態と抜き取らない閉鎖状態とに切り換えられるものであり、所定幅を有して形成される第１補給樋９の下流端の左右両端に形成されている。また、第１玉抜き装置１６には、玉抜き管１６ａが接続され、その玉抜き管１６ａの下流端が後述する回収樋１９上に臨んでいる。
【００１７】
同様に、上部タンク６から他側（図１の左側）に向かって傾斜状に設けられる第２補給樋１０の底面裏側には、上流側から下流側に向って３つに分断された加熱手段としての第２ヒータ１２ａ〜１２ｃが取り付けられ、最下流側の第２ヒータ１２ｃに第２補給樋１０の温度を検出する温度検知手段としての第２サーミスタ１４が取り付けられている。また、第２補給樋１０には、遊技機設置部２に対応するように第２補給樋１０を流下する遊技玉を分流して遊技機及び隣接する玉貸機に供給するための分離器１５が設けられていると共に、第２補給樋１０の下流端に第２玉抜き装置１７が取り付けられている。この第２玉抜き装置１７も、当該第２補給樋１０内の遊技玉を抜き取る開放状態と抜き取らない閉鎖状態とに切り換えられるものであり、所定幅を有して形成される第２補給樋１０の下流端の左右両端に形成されている。また、第２玉抜き装置１７にも、玉抜き管１７ａが接続され、その玉抜き管１７ａの下流端が後述する回収樋１９上に臨んでいる。
【００１８】
また、遊技機設置部２の下部裏側には、遊技機から排出される遊技玉を集めるアウト玉ボックス１８が各遊技機設置部２毎に設けられ、そのアウト玉ボックス１８に集められた遊技球は、その下方に配置される回収樋１９に放出される。回収樋１９は、遊技島台１の両端部から中央に向って傾斜状に設けられ、玉揚送機収納部３の一側（図１において左側）に設けられる下部タンク２０に接続される。下部タンク２０に集められた遊技球は、玉揚送機収納部３に収納されている玉揚送機によって上部タンク６に研磨揚送される。つまり、通常の営業時において、玉揚送機→上部タンク６→第１補給樋９及び第２補給樋１０→分離器１５→遊技機→アウト玉ボックス１８→回収樋１９→下部タンク２０→玉揚送機→・・・というように遊技玉が遊技島台１の内部を循環している。ただし、補給樋９，１０から分離器１５を介して遊技機に取り込まれなかった遊技玉であって玉抜き装置１６，１７の開放状態時における遊技玉は、玉揚送機→上部タンク６→第１補給樋９及び第２補給樋１０→第１玉抜き装置１６及び第２玉抜き装置１７→玉抜き管１６ａ，１７ａ→回収樋１９→下部タンク２０→玉揚送機→・・・というように遊技島台１の内部を循環する。
【００１９】
また、遊技島台１には、上記した以外の構成として、遊技島台１の一側の端部に島端ＬＣＤ２１が設けられ、点検扉４の内側近傍に揚送機電源ユニット２２とスイッチパネル２３と制御手段としてのコントロールボックス３０とが設けられている。島端ＬＣＤ２１は、図６に示すように、遊技島台１における各種の装置の状態がどのような状況であるか否かを遊技場の店員に報知するためのものである。この点については、後に詳述する。また、揚送機電源ユニット２２は、高電圧によって駆動される玉揚送機の電源スイッチや電源回路等が設けられるものである。スイッチパネル２３は、点検扉４，５を開放した状態で遊技島台１の内部の各種の装置の操作を行うものである。この点についても後に詳述する。更に、コントロールボックス３０は、遊技島台１に設けられる各種の装置を制御するためのものであり、これについても後に詳述する。
【００２０】
次に、図２乃至図７を参照して、上記した島端ＬＣＤ２１、スイッチパネル２３、及びコントロールボックス３０について説明する。図２は、スイッチパネル２３の詳細を説明するための説明図であり、図３は、コントロールボックス３０の制御回路図であり、図４及び図５は、コントロールボックス３０と接続される管理端末装置４０の画面に表示される画像を説明するための説明図であり、図６は、島端ＬＣＤ２１に表示される画像を説明するための説明図であり、図７は、管理端末装置画面と島端ＬＣＤ画面とスイッチパネル２３に表示される色彩を説明するための説明図である。
【００２１】
図２において、スイッチパネル２３は、２色点灯する複数のスイッチ２４〜２８と、それぞれのスイッチ２４〜２８に対応する７セグメントＬＥＤ２４ａ〜２８ａとから構成されている。具体的には、玉揚送機の駆動開始・駆動停止を操作し得る還元機スイッチ２４とそれに対応する７セグメントＬＥＤ２４ａ、下部タンク２０から玉揚送機への遊技玉の供給を開閉するシャッタースイッチ２５とそれに対応する７セグメントＬＥＤ２５ａ、玉抜き装置１６，１７の玉抜き動作を操作する玉抜きスイッチ２６とそれに対応する７セグメントＬＥＤ２６ａ、第１ヒータ１１ａ〜１１ｃ及び第２ヒータ１２ａ〜１２ｃをＯＮ／ＯＦＦ（制御開始信号／制御停止信号の導出）操作し得るヒータスイッチ２７とそれに対応する７セグメントＬＥＤ２７ａ、及び玉揚送機に付随する研磨用布ベルト自動巻取装置の駆動開始を操作し得る布ベルトスイッチ２８とそれに対応する７セグメントＬＥＤ２８ａである。
【００２２】
そして、２色点灯する複数のスイッチ２４〜２８は、正常に稼働しているときには緑点灯し、異常があるときには赤点灯すると共に、停止中は、消灯している。例えば、図２（Ａ）に示す状態は、還元機スイッチ２４及び玉抜きスイッチ２６が緑点灯して正常に稼働している旨を表示し、その他のスイッチが消灯して停止中である旨を表示している。また、図２（Ｂ）に示す状態は、還元機スイッチ２４が緑点灯して正常に稼働している旨を表示し、ヒータスイッチ２７が赤点灯して異常である旨を表示し、その他のスイッチが消灯して停止中である旨を表示している。この複数のスイッチ２４〜２８に表示される正常・異常の状態と同じ状態表示画像５０が図６（Ａ）に示すように島端ＬＣＤ２１にも表示される。ただし、島端ＬＣＤ２１における停止中の表示は白色である。
【００２３】
また、各スイッチ２４〜２８に対応する７セグメントＬＥＤ２４ａ〜２８ａは、異常時に数字コードを点灯表示するものであり、それに表示される数字によって異常の種類を表示するものである。例えば、図２（Ｃ）に示すように、ヒータスイッチ２７に対応する７セグメントＬＥＤ２７ａにおいては、下流の第１ヒータ１１ｃが断線したときに「１」が表示され、中流の第１ヒータ１１ｂが断線したときに「２」が表示され、上流の第１ヒータ１１ａが断線したときに「３」が表示され、下流の第２ヒータ１２ｃが断線したときに「４」が表示され、中流の第２ヒータ１２ｂが断線したときに「５」が表示され、上流の第２ヒータ１２ａが断線したときに「６」が表示され、第１サーミスタ１３の異常時に「７」が表示され、第２サーミスタ１４の異常時に「８」が表示される。もちろん、他のスイッチに対応する７セグメントＬＥＤも異常の種類に応じて異なる数字を表示するようになっている。また、異常時における島端ＬＣＤ２１の表示は、図６（Ｂ）に示すように、状態表示画像５０の側方に点検内容を説明する点検内容画像５１と点検数画像５２とが表示されるようになっている。点検数画像５２は、異常の総数が分母に表示され、異常内容画像５１に表示されている点検内容が何番目であるかを分子で表示している。なお、島端ＬＣＤ２１及びスイッチパネル２３におけるヒータ関係の表示は、図７に示す通りである。
【００２４】
コントロールボックス３０は、ＣＰＵ，ＲＯＭ，ＲＡＭを含むメイン制御基板３１と、遊技島台１の外部に配置される管理端末装置４０との間で送受信するための通信基板３２と、第１ヒータ１１ａ〜１１ｃ及び第２ヒータ１２ａ〜１２ｃと第１サーミスタ１３及び第２サーミスタ１４とが接続されるヒータ基板３３と、第１玉抜き装置１６及び第２玉抜き装置１７が接続される玉抜き装置基板３４と、第１点検扉センサ７及び第２点検扉センサ８が接続されるセンサ検出基板３５と、布ベルト自動巻取装置や玉揚送機等の装置が接続されるその他の基板３６〜３８と、上記した各基板３１〜３８に電源を供給する電源供給部３９とを含んで構成されている。メイン制御基板３１には、島端ＬＣＤ２１及びスイッチパネル２３が接続されると共に、通信基板３２をはじめ他の基板３３〜３８も接続されている。そして、このメイン制御基板３１によって遊技島台１に設けられる各種の装置が駆動制御されるものであるが、そのメイン制御基板３１に管理端末装置４０から指令信号や設定信号が入力されることにより、遊技島台１の各種装置を遠隔操作することができる。
【００２５】
ところで、制御手段としてのコントロールボックス３０に接続されると共に、遊技島台１の外部に設けられる管理端末装置４０は、モニター画面を有し、該モニター画面に表示される画像をクリックすることにより、遊技場に設置される複数の遊技島台１の島状態の管理、それぞれの遊技島台１の各種装置の遠隔操作、それぞれの遊技島台１の島履歴、あるいは、それぞれの遊技島台１の動作条件の設定操作等を行うことができる。例えば、図４（Ａ）に示すように、選択画像４２のうち「島状態管理」画像がクリックされて選択されている場合に、島状態表示画像４１と状態種別画像４３とが表示されるようになっている。島状態表示画像４１は、遊技場に設置されている複数の遊技島台１の島番と各島台１における還元機（玉揚送装置）、玉抜き装置１６，１７、ヒータ１１ａ〜１１ｃ，１２ａ〜１２ｃ、及び布ベルト自動巻取り装置の稼働状況や異常状態とが表示されるようになっている。また、稼働状況や異常状態は、状態種別画像４３によって表示される。例えば、稼働中の場合には、黄色（図４（Ａ）では網掛け状の斜線が描かれている。）の状態種別画像で表示され、停止中の場合には、白色の状態種別画像で表示され、異常の場合には、赤色（図４（Ａ）では黒色が描かれている。）の状態種別画像で表示され、点検扉４，５（「還元機扉」と表示）開放の場合には、島番の下方の４つの領域すべてが縦線の状態種別画像で表示され、研磨用布ベルトの交換サインの場合には、布ベルト自動巻取り装置の領域が斜線の状態種別画像で表示され、また、布ベルト自動巻取り装置が装着されていない場合には、布ベルト自動巻取り装置の領域が横線の状態種別画像で表示され、通信異常の場合には、島番の下方の４つの領域すべてが２本の対角線の状態種別画像で表示される。なお、管理端末装置４０におけるヒータ関係の表示は、図７に示す通りである。
【００２６】
上記の図４（Ａ）の島状態表示画像４１において、島番２の遊技島台１において、ヒータの領域が異常である赤色に表示されているので、この赤色に表示されている領域をクリックすると、図４（Ｂ）に示すように、島状態表示画像４１と状態種別画像４３を消去して、代わりに異常の発生日時や、異常の説明、及び異常に対する対処方法等の文字である異常詳細表示画像４４が表示されるようになっている。ただし、この異常詳細表示画面においては、異常詳細表示画像４４の他に選択画像４２はそのまま表示されている。
【００２７】
また、選択画像４２のうち、「動作条件設定」画像がクリックされて選択された場合には、図５（Ａ）に示すように、温度設定画像４５が表示される。この温度設定画像４５は、遊技島台１の第１補給樋９に設けられる第１ヒータ１１ａ〜１１ｃと第２補給樋１０に設けられる第２ヒータ１２ａ〜１２ｃとの温度を別々に設定できるものであり、例えば、図５（Ａ）に示すように、島番が１番島の第１補給樋９の温度を４０℃に設定し、第２補給樋１０の温度を３５℃に設定することができる。このように１番島の設定が終了した後、温度設定画像４５の右下に表示される「前へ」又は「次へ」領域をクリックして順次すべての遊技島台１の補給樋９，１０の温度を設定し、すべての遊技島台１の温度設定が終了した後、動作条件設定画面の右下の「修正」又は「確定」領域のうち「確定」領域をクリックすることにより温度設定が終了する。この図５（Ａ）に示す画面が温度設定手段を構成するものである。なお、図示の場合、第１補給樋９の温度を４０℃に設定し、第２補給樋１０の温度を３５℃に設定した例を示したが、これは、遊技島台１の第１補給樋９側の遊技機設置部２に稼働率の高い遊技機を設置し、第２補給樋１０側の遊技機設置部２に稼働率の低い遊技機を設置する場合等に温度を異ならせて設定する例を示したものである。もちろん、温度の設定は、これに限ることはない。
【００２８】
更に、選択画像４２のうち、「一括操作」画像がクリックされて選択された場合には、図５（Ｂ）に示すように、一括操作画像４６が表示される。この一括操作画像４６は、遊技島台１に設けられる各種装置への動作開始指令を指示するための画像である。具体的には、「玉揚送機」、「玉抜き装置」、「ヒータ」、「布ベルト自動巻取り装置」のそれぞれの装置に「制御開始信号」を導出する「ＯＮ」領域と、「制御停止信号」を導出する「ＯＦＦ」領域とがあり、それぞれの領域をクリックすることにより、すべての遊技島台における対応する装置に対して指令を一括して導出することができる。したがって、この図５（Ｂ）に示す画面が制御開始指令手段を構成するものである。なお、一括操作画像４６には、異常発生を時系列的に一覧表示する一覧表も同時に表示されるようになっている。
【００２９】
次に、上記した制御手段としてのコントロールボックス３０のメイン制御基板３１によって制御される動作のうち、ヒータ制御処理について図８乃至図１８を参照して説明する。図８は、ヒータ制御処理のメインルーチンを示すフロー図であり、図９は、メインルーチン中のステップＳ１の温度設定処理サブルーチンを示すフロー図であり、図１０は、メインルーチン中のステップＳ２のモード遷移処理サブルーチンを示すフロー図であり、図１１は、メインルーチン中のステップＳ４のヒータ制御開始処理１サブルーチンを示すフロー図であり、図１２は、メインルーチン中のステップＳ５のヒータ制御停止処理１サブルーチンを示すフロー図であり、図１３は、メインルーチン中のステップＳ６のヒータ制御開始処理２サブルーチンを示すフロー図であり、図１４は、メインルーチン中のステップＳ７のヒータ制御停止処理２サブルーチンを示すフロー図であり、図１５は、メインルーチン中のステップＳ８のヒータ定期監視処理サブルーチンの前半部分を示すフロー図であり、図１６は、メインルーチン中のステップＳ８のヒータ定期監視処理サブルーチンの後半部分を示すフロー図であり、図１７は、ヒータ定期監視処理サブルーチン中のＳ７０の温度制御処理１サブルーチンを示すフロー図であり、図１８は、ヒータ定期監視処理サブルーチン中のＳ８１の温度制御処理２サブルーチンを示すフロー図である。
【００３０】
図８において、ヒータ制御処理は、最初にステップＳ１（以下、「Ｓ１」と略称する。）で温度設定処理サブルーチンが行われ、次いでＳ２で管理端末装置４０からの制御開始指令信号に基づくリモートモードによる制御かスイッチパネル２３からの制御開始指令信号に基づくローカルモードによる制御かを選択するモード遷移処理サブルーチンが実行される。次に、Ｓ３によりリモートモードであると判定された場合には、Ｓ４のヒータ制御開始処理１サブルーチンとＳ５のヒータ制御停止処理１サブルーチンが行われた後Ｓ８のヒータ定期監視処理サブルーチンが実行される一方、Ｓ３によりローカルモードであると判定された場合には、Ｓ６のヒータ制御開始処理２サブルーチンとＳ７のヒータ制御停止処理２サブルーチンが行われた後Ｓ８のヒータ定期監視処理サブルーチンが実行される。
【００３１】
次に、上記した各サブルーチン処理について説明する。まず、図９に基いて温度設定処理サブルーチンについて説明すると、Ｓ１０で管理端末装置４０から通信基板３２を介して第１補給樋９の設定温度信号１＝Ｋ１（本実施形態の場合４０℃）を受信したか否かが判別され、受信したときには、Ｓ１１で第１補給樋９の上限温度を「Ｋ１＋５℃」に設定し、次いでＳ１２で第１補給樋９の下限温度を「Ｋ１−５℃」に設定する。次に、Ｓ１３で管理端末装置４０から通信基板３２を介して第２補給樋１０の設定温度信号２＝Ｋ２（本実施形態の場合３５℃）を受信したか否かが判別され、受信したときには、Ｓ１４で第２補給樋１０の上限温度を「Ｋ２＋５℃」に設定し、次いでＳ１５で第２補給樋１０の下限温度を「Ｋ２−５℃」に設定する。このように、温度設定処理サブルーチンでは、管理端末装置４０で設定される設定温度に基づいて第１補給樋９及び第２補給樋１０の上限温度及び下限温度を算出するサブルーチンである。
【００３２】
次に、図１０に基いてモード遷移処理サブルーチンについて説明すると、Ｓ２０で第１点検扉センサ７（「点検扉センサ１」と表示）が断線か否かが判別され、断線していないと判別された場合には、Ｓ２１で第１点検扉センサ７がＯＮ（点検扉４が閉じている状態）しているか否かが判別され、ＯＮであれば、Ｓ２２で点検扉開放フラグ１を「ＯＦＦ」にする。一方、Ｓ２０で第１点検扉センサ７が断線していると判別された場合及びＳ２１で第１点検扉センサ７がＯＦＦ（点検扉４が開放している状態）になっていると判別された場合には、Ｓ２３で点検扉開放フラグ１を「ＯＮ」にする。次いで、Ｓ２４で第２点検扉センサ８（「点検扉センサ２」と表示）が断線か否かが判別され、断線していないと判別された場合には、Ｓ２５で第２点検扉センサ８がＯＮ（点検扉５が閉じている状態）しているか否かが判別され、ＯＮであれば、Ｓ２６で点検扉開放フラグ２を「ＯＦＦ」にする。一方、Ｓ２４で第２点検扉センサ８が断線していると判別された場合及びＳ２５で第２点検扉センサ８がＯＦＦ（点検扉５が開放している状態）になっていると判別された場合には、Ｓ２７で点検扉開放フラグ２を「ＯＮ」にする。
【００３３】
上記したＳ２０〜Ｓ２７の処理の後、Ｓ２８，Ｓ２９で点検扉開放フラグ１，２がＯＮになっているか否かを判別し、共にＯＮになっていなければ、Ｓ３０で点検扉４，５が閉鎖していると判断してＳ３１でリモートモードに設定し、共にＯＮとなっている場合及びいずれか一方がＯＮとなっている場合には、Ｓ３２で点検扉４又は５が開放していると判断してＳ３３でローカルモードに設定する。このように、モード遷移処理サブルーチンでは、点検扉４，５が開放しているか否かによって管理端末装置４０によるリモートコントロールでヒータ制御処理を行うか、あるいはスイッチパネル２３による単独コントロールでヒータ制御処理を行うかを設定するためのサブルーチンである。
【００３４】
上記したモード遷移処理サブルーチンによってリモートモードであると判定された場合に実行されるヒータ制御開始処理１サブルーチン及びヒータ制御停止処理１サブルーチンについて図１１及び図１２を参照して説明する。まず、ヒータ制御開始処理１サブルーチンを示す図１１において、Ｓ４０で管理端末装置４０からのヒータ制御開始信号１を受信したか否かを判別し、開始信号を受信した場合には、Ｓ４１で第１ヒータ１１ａ〜１１ｃ及び第２ヒータ１２ａ〜１２ｃの制御を開始すると同時にヒータ制御フラグ１，２を共に制御中に設定し、Ｓ４２で制御開始カウンタＴ及びＳを「０」に設定する。次いでＳ４３で第１又は第２ヒータ群断線フラグが断線になっているか否かを判別し、断線フラグが断線となっていなければＳ４４で管理端末装置４０、スイッチパネル２３、及び島端ＬＣＤ２１にヒータ制御開始信号を送信して図７に示す状態でそれぞれを表示する。
【００３５】
また、ヒータ制御停止処理１サブルーチンを示す図１２において、Ｓ４５で管理端末装置４０からのヒータ制御停止信号１を受信したか否かを判別し、停止信号を受信した場合には、Ｓ４６で第１ヒータ１１ａ〜１１ｃ及び第２ヒータ１２ａ〜１２ｃの制御を停止すると同時にヒータ制御フラグ１，２を共に停止中に設定する。次いでＳ４７で第１又は第２ヒータ群断線フラグが断線になっているか否かを判別し、断線フラグが断線となっていなければＳ４８で管理端末装置４０、スイッチパネル２３、及び島端ＬＣＤ２１にヒータ制御停止信号を送信して図７に示す状態でそれぞれを表示する。
【００３６】
一方、前述したモード遷移処理サブルーチンによってローカルモードであると判定された場合に実行されるヒータ制御開始処理２サブルーチン及びヒータ制御停止処理２サブルーチンについて図１３及び図１４を参照して説明する。まず、ヒータ制御開始処理２サブルーチンを示す図１３において、Ｓ５０でスイッチパネル２３からのヒータ制御開始信号２を受信したか否かを判別し、開始信号を受信した場合には、Ｓ５１で第１ヒータ１１ａ〜１１ｃ及び第２ヒータ１２ａ〜１２ｃの制御を開始すると同時にヒータ制御フラグ１，２を共に制御中に設定し、Ｓ５２で制御開始カウンタＴ及びＳを「０」に設定する。次いでＳ５３で第１又は第２ヒータ群断線フラグが断線になっているか否かを判別し、断線フラグが断線となっていなければＳ５４で管理端末装置４０、スイッチパネル２３、及び島端ＬＣＤ２１にヒータ制御開始信号を送信して図７に示す状態でそれぞれを表示する。
【００３７】
また、ヒータ制御停止処理２サブルーチンを示す図１４において、Ｓ５５でスイッチパネル２３からのヒータ制御停止信号２を受信したか否かを判別し、停止信号を受信した場合には、Ｓ５６で第１ヒータ１１ａ〜１１ｃ及び第２ヒータ１２ａ〜１２ｃの制御を停止すると同時にヒータ制御フラグ１，２を共に停止中に設定する。次いでＳ５７で第１又は第２ヒータ群断線フラグが断線になっているか否かを判別し、断線フラグが断線となっていなければＳ５８で管理端末装置４０、スイッチパネル２３、及び島端ＬＣＤ２１にヒータ制御停止信号を送信して図７に示す状態でそれぞれを表示する。
【００３８】
次に、上記したヒータ制御開始処理１，２サブルーチン又はヒータ制御停止処理１，２サブルーチンで設定されたヒータ制御フラグ１，２に基いて制御されるヒータ定期監視処理サブルーチンについて図１５及び図１６を参照して説明する。図１５に示すように、まず、Ｓ６０で第１ヒータ群が断線しているか否かが判別され、断線していると判別されるとＳ６１で第１ヒータ群断線フラグを断線に設定し、次いでＳ６２で管理端末装置４０、スイッチパネル２３、及び島端ＬＣＤ２１に第１ヒータ群断線信号を送信して、図７に示す表示を行う。また、Ｓ６３で第１ヒータ群の電源をＯＦＦとすると共にＳ６４でヒータ制御フラグ１を停止中に設定する。一方、Ｓ６０で第１ヒータ群が断線していないと判別された場合には、Ｓ６５で第１ヒータ群断線フラグを正常に設定し、Ｓ６６でヒータ制御フラグ１が制御中に設定されているか否かを判別する。ヒータ制御フラグ１が制御中に設定されていないと判別された場合には、ヒータ制御開始信号が導出されていないことであるためＳ６７で第１ヒータ群の電源をＯＦＦとする。逆にヒータ制御フラグ１が制御中に設定されている場合には、Ｓ６８で玉抜き装置群１６，１７が閉鎖状態（本実施形態においては、第１玉抜き装置１６と第２玉抜き装置１７とが同時に閉鎖状態又は開放状態のいずれかとなる。）が判別され、閉鎖状態ではない開放状態と判別されるとＳ６９で第１ヒータ群１１ａ〜１１ｃの電源がＯＮされる一方、閉鎖状態であると判別された場合には、Ｓ７０で温度制御処理１が実行される。この温度制御処理１は、温度検知手段としての第１サーミスタ１３によって検出される温度が予め設定された温度範囲内となるように第１ヒータ群１１ａ〜１１ｃをＯＮ状態とＯＦＦ状態とに切換制御する処理である。
【００３９】
上記したＳ６０〜Ｓ７０までの処理は、第１ヒータ群１１ａ〜１１ｃに対する定期監視処理であり、同じような処理がＳ７１〜Ｓ８１によって第２ヒータ群１２ａ〜１２ｃに対しても行われる。即ち、図１６に示すように、Ｓ７１で第２ヒータ群が断線しているか否かが判別され、断線していると判別されるとＳ７２で第２ヒータ群断線フラグを断線に設定し、次いでＳ７３で管理端末装置４０、スイッチパネル２３、及び島端ＬＣＤ２１に第２ヒータ群断線信号を送信して、図７に示す表示を行う。また、Ｓ７４で第２ヒータ群の電源をＯＦＦとすると共にＳ７５でヒータ制御フラグ２を停止中に設定する。一方、Ｓ７１で第２ヒータ群が断線していないと判別された場合には、Ｓ７６で第２ヒータ群断線フラグを正常に設定し、Ｓ７７でヒータ制御フラグ２が制御中に設定されているか否かを判別する。ヒータ制御フラグ２が制御中に設定されていないと判別された場合には、ヒータ制御開始信号が導出されていないことであるためＳ７８で第２ヒータ群の電源をＯＦＦとする。逆にヒータ制御フラグ２が制御中に設定されている場合には、Ｓ７９で玉抜き装置群１６，１７が閉鎖状態（本実施形態においては、第１玉抜き装置１６と第２玉抜き装置１７とが同時に閉鎖状態又は開放状態のいずれかとなる。）が判別され、閉鎖状態ではない開放状態と判別されるとＳ８０で第２ヒータ群１２ａ〜１２ｃの電源がＯＮされる一方、閉鎖状態であると判別された場合には、Ｓ８１で温度制御処理２が実行される。この温度制御処理２は、温度検知手段としての第２サーミスタ１４によって検出される温度が予め設定された温度範囲内となるように第２ヒータ群１２ａ〜１２ｃをＯＮ状態とＯＦＦ状態とに切換制御する処理である。
【００４０】
上記したＳ６８〜Ｓ７０及びＳ７９〜Ｓ８１に示す処理は、玉抜き装置１６，１７が閉鎖状態となっているときに温度検知手段としての第１サーミスタ１３又は第２サーミスタ１４によって検出される温度が予め設定された温度範囲内となるように加熱手段としての第１ヒータ群１１ａ〜１１ｃ又は第２ヒータ群１２ａ〜１２ｃをＯＮ状態とＯＦＦ状態とに切換制御する一方、玉抜き装置１６，１７が開放状態となっているときに加熱手段としての第１ヒータ群１１ａ〜１１ｃ又は第２ヒータ群１２ａ〜１２ｃをＯＮ状態に保持制御することを示している。このため、玉抜き装置１６，１７の閉鎖状態時に所定の温度範囲内で補給樋９，１０の温度が保持されるため補給樋９，１０を流下する遊技玉が過剰に予熱されることもない一方、玉抜き装置１６，１７の開放状態時に加熱装置としての第１ヒータ群１１ａ〜１１ｃ又は第２ヒータ群１２ａ〜１２ｃが通電状態に保持されるため、補給樋９，１０に対し常時熱量が加えられ当該補給樋９，１０を流下する遊技玉の温度が低下することなく十分な除湿機能を保持することができるものである。
【００４１】
そこで、玉抜き装置１６，１７が閉鎖状態となっているときの切換制御を示す温度制御処理１及び温度制御処理２を図１７及び図１８を参照して説明する。温度制御処理１は、図１７に示すように、Ｓ９０で制御開始カウンタＴに「１」を加算し、Ｓ９１で制御開始カウンタＴの値が「１」であるか否かが判別される。管理端末装置４０又はスイッチパネル２３からの制御開始信号が導出された直後の制御回路カウンタＴの値は、「１」であるためＳ９２で第１ヒータ群１１ａ〜１１ｃの電源をＯＮにするが、一旦ＯＮとなった後には、Ｓ９２の処理を飛ばして次のＳ９３の処理に進む。Ｓ９３では、第１サーミスタ１３から出力される温度信号により第１補給樋９の温度を算出し、その算出した第１補給樋９の温度が危険上限温度である８０℃を超えているか否かがＳ９４で判別されると共に危険下限温度である−３０℃より低いか否かがＳ９５で判別される。第１補給樋９の温度が危険上限温度を超している場合又は危険下限温度より低い場合には、第１サーミスタ１３が故障している可能性が極めて高いため、Ｓ９６で管理端末装置４０、スイッチパネル２３、及び島端ＬＣＤ２１にサーミスタ異常信号を送信すると共に、Ｓ９７で第１ヒータ群１１ａ〜１１ｃの電源をＯＦＦとし、次いでＳ９８でヒータ制御フラグ１を停止中に設定する。
【００４２】
一方、第１補給樋９の温度が危険上限温度未満である場合又は危険下限温度より高い場合には、Ｓ９９で第１補給樋９の温度が上限温度（前記Ｓ１１で設定されている）よりも高いか否かが判別され、高ければＳ１００で第１ヒータ群１１ａ〜１１ｃの電源をＯＦＦとし、高くなければＳ１００の処理を実行することなく次のＳ１０１に進む。Ｓ１０１では、第１補給樋９の温度が下限温度（前記Ｓ１２で設定されている）よりも低いか否かが判別され、低ければＳ１０２で第１ヒータ群１１ａ〜１１ｃの電源をＯＮとし、低くなければＳ１０２の処理を実行することなくサブルーチンを終了する。
【００４３】
また、温度制御処理２は、図１８に示すように、Ｓ１１０で制御開始カウンタＳに「１」を加算し、Ｓ１１１で制御開始カウンタＳの値が「１」であるか否かが判別される。管理端末装置４０又はスイッチパネル２３からの制御開始信号が導出された直後の制御回路カウンタＳの値は、「１」であるためＳ１１２で第２ヒータ群１２ａ〜１２ｃの電源をＯＮにするが、一旦ＯＮとなった後には、Ｓ１１２の処理を飛ばして次のＳ１１３の処理に進む。Ｓ１１３では、第２サーミスタ１４から出力される温度信号により第２補給樋１０の温度を算出し、その算出した第２補給樋１０の温度が危険上限温度である８０℃を超えているか否かがＳ１１４で判別されると共に危険下限温度である−３０℃より低いか否かがＳ１１５で判別される。第２補給樋１０の温度が危険上限温度を超している場合又は危険下限温度より低い場合には、第２サーミスタ１４が故障している可能性が極めて高いため、Ｓ１１６で管理端末装置４０、スイッチパネル２３、及び島端ＬＣＤ２１にサーミスタ異常信号を送信すると共に、Ｓ１１７で第２ヒータ群１２ａ〜１２ｃの電源をＯＦＦとし、次いでＳ１１８でヒータ制御フラグ２を停止中に設定する。
【００４４】
一方、第２補給樋１０の温度が危険上限温度未満である場合又は危険下限温度より高い場合には、Ｓ１１９で第２補給樋１０の温度が上限温度（前記Ｓ１４で設定されている）よりも高いか否かが判別され、高ければＳ１２０で第２ヒータ群１２ａ〜１２ｃの電源をＯＦＦとし、高くなければＳ１２０の処理を実行することなく次のＳ１２１に進む。Ｓ１２１では、第２補給樋１０の温度が下限温度（前記Ｓ１５で設定されている）よりも低いか否かが判別され、低ければＳ１２２で第２ヒータ群１２ａ〜１２ｃの電源をＯＮとし、低くなければＳ１２２の処理を実行することなくサブルーチンを終了する。
【００４５】
上記したように、玉抜き装置１６，１７が閉鎖状態となっているときの切換制御を示す温度制御処理１及び温度制御処理２においては、玉抜き装置１６，１７の閉鎖状態時に上限温度と下限温度の温度範囲内で補給樋９，１０の温度が保持されるため補給樋９，１０を流下する遊技玉が過剰に予熱されることがないという優れた効果を奏する。
【００４６】
以上説明した図８乃至図１８の制御は、玉抜き装置１６，１７が開放状態となっているときにヒータ１１ａ〜１１ｃ、１２ａ〜１２ｃの加熱状態を保持するように制御する実施形態（以下、「第１実施形態」という。）について説明してきたが、玉抜き装置１６，１７の開放状態時でも所定の温度範囲内となるようにヒータ１１ａ〜１１ｃ、１２ａ〜１２ｃのＯＮ状態とＯＦＦ状態とに切り換える切換制御するようにしても良い。このような実施形態（以下、「第２実施形態」という。）について図１９乃至図２３を参照して説明する。この第２実施形態におけるヒータ制御処理のメインルーチンは、第１実施形態におけるメインルーチン（図８に示すメインルーチン）と同じであり、そのメインルーチンのうち、温度設定処理サブルーチンとヒータ定期監視処理サブルーチンとが第１実施形態と異なるだけで他のサブルーチンは同じである。そこで、第２実施形態に係る説明においては、第１実施形態と相違する温度設定処理サブルーチンとヒータ定期監視処理サブルーチンを中心として図１９乃至図２３を参照して説明する。図１９は、第２実施形態に係るメインルーチン中のステップＳ１の温度設定処理サブルーチンを示すフロー図であり、図２０は、メインルーチン中のステップＳ８のヒータ定期監視処理サブルーチンの前半部分を示すフロー図であり、図２１は、メインルーチン中のステップＳ８のヒータ定期監視処理サブルーチンの後半部分を示すフロー図であり、図２２は、ヒータ定期監視処理サブルーチン中のＳ２３０の温度制御処理３サブルーチンを示すフロー図であり、図２３は、ヒータ定期監視処理サブルーチン中のＳ２４２の温度制御処理４サブルーチンを示すフロー図である。
【００４７】
第２実施形態に係るヒータ制御処理においても、そのメインルーチンは、図８に示すＳ１〜Ｓ８の処理によって実行される。そして、Ｓ１の温度設定処理サブルーチンにおいては、図１９に示すように、Ｓ２１０で管理端末装置４０から通信基板３２を介して第１補給樋９の設定温度信号１＝Ｋ１（本実施形態の場合４０℃）を受信したか否かが判別され、受信したときには、Ｓ２１１及びＳ２１２で第１補給樋９の第１上限温度を「Ｋ１＋５℃」、第２上限温度を「Ｋ１＋８℃」にそれぞれ設定し、次いでＳ２１３及びＳ２１４で第１補給樋９の第１下限温度を「Ｋ１−５℃」、第２下限温度を「Ｋ１−２℃」にそれぞれ設定する。次に、Ｓ２１５で管理端末装置４０から通信基板３２を介して第２補給樋１０の設定温度信号２＝Ｋ２（本実施形態の場合３５℃）を受信したか否かが判別され、受信したときには、Ｓ２１６及びＳ２１７で第２補給樋１０の第１上限温度を「Ｋ２＋５℃」、第２上限温度を「Ｋ２＋８℃」にそれぞれ設定し、次いでＳ２１８及びＳ２１９で第２補給樋１０の第１下限温度を「Ｋ２−５℃」、第２下限温度を「Ｋ２−２℃」に設定する。このように、第２実施形態に係る温度設定処理サブルーチンでは、管理端末装置４０で設定される設定温度に基づいて第１補給樋９及び第２補給樋１０の第１、第２上限温度及び第１、第２下限温度を算出するサブルーチンである。
【００４８】
また、第２実施形態に係るメインルーチンのＳ８のヒータ定期監視処理サブルーチンにおいては、まず、図２０に示すように、Ｓ２２０で第１ヒータ群が断線しているか否かが判別され、断線していると判別されるとＳ２２１で第１ヒータ群断線フラグを断線に設定し、次いでＳ２２２で管理端末装置４０、スイッチパネル２３、及び島端ＬＣＤ２１に第１ヒータ群断線信号を送信して、図７に示す表示を行う。また、Ｓ２２３で第１ヒータ群の電源をＯＦＦとすると共にＳ２２４でヒータ制御フラグ１を停止中に設定する。一方、Ｓ２２０で第１ヒータ群が断線していないと判別された場合には、Ｓ２２５で第１ヒータ群断線フラグを正常に設定し、Ｓ２２６でヒータ制御フラグ１が制御中に設定されているか否かを判別する。ヒータ制御フラグ１が制御中に設定されていないと判別された場合には、ヒータ制御開始信号が導出されていないことであるためＳ２２７で第１ヒータ群の電源をＯＦＦとする。逆にヒータ制御フラグ１が制御中に設定されている場合には、Ｓ２２８で玉抜き装置群１６，１７が閉鎖状態（本実施形態においては、第１玉抜き装置１６と第２玉抜き装置１７とが同時に閉鎖状態又は開放状態のいずれかとなる。）が判別され、閉鎖状態ではない開放状態と判別されるとＳ２２９で第１ヒータ群１１ａ〜１１ｃの電源がＯＮされた後Ｓ２３０で温度制御処理３が実行される一方、閉鎖状態であると判別された場合には、Ｓ２３１で温度制御処理１（図１７のサブルーチン）が実行される。この温度制御処理１は、温度検知手段としての第１サーミスタ１３によって検出される温度が予め設定された第１の温度範囲（Ｋ１＋５℃〜Ｋ１−５℃）内となるように第１ヒータ群１１ａ〜１１ｃをＯＮ状態とＯＦＦ状態とに切換制御する処理であり、温度制御処理３は、温度検知手段としての第１サーミスタ１３によって検出される温度が上記した第１の温度範囲の上限温度及び下限温度よりもそれぞれ高い予め設定された第２の温度範囲（Ｋ１＋８℃〜Ｋ１−２℃）内となるように第１ヒータ群１１ａ〜１１ｃをＯＮ状態とＯＦＦ状態とに切換制御する処理である。
【００４９】
上記したＳ２２０〜Ｓ２３１までの処理は、第１ヒータ群１１ａ〜１１ｃに対する定期監視処理であり、同じような処理がＳ２３２〜Ｓ２４３によって第２ヒータ群１２ａ〜１２ｃに対しても行われる。即ち、図２１に示すように、Ｓ２３２で第２ヒータ群が断線しているか否かが判別され、断線していると判別されるとＳ２３３で第２ヒータ群断線フラグを断線に設定し、次いでＳ２３４で管理端末装置４０、スイッチパネル２３、及び島端ＬＣＤ２１に第２ヒータ群断線信号を送信して、図７に示す表示を行う。また、Ｓ２３５で第２ヒータ群の電源をＯＦＦとすると共にＳ２３６でヒータ制御フラグ２を停止中に設定する。一方、Ｓ２３２で第２ヒータ群が断線していないと判別された場合には、Ｓ２３７で第２ヒータ群断線フラグを正常に設定し、Ｓ２３８でヒータ制御フラグ２が制御中に設定されているか否かを判別する。ヒータ制御フラグ２が制御中に設定されていないと判別された場合には、ヒータ制御開始信号が導出されていないことであるためＳ２３９で第２ヒータ群の電源をＯＦＦとする。逆にヒータ制御フラグ２が制御中に設定されている場合には、Ｓ２４０で玉抜き装置群１６，１７が閉鎖状態（本実施形態においては、第１玉抜き装置１６と第２玉抜き装置１７とが同時に閉鎖状態又は開放状態のいずれかとなる。）が判別され、閉鎖状態ではない開放状態と判別されるとＳ２４１で第２ヒータ群１２ａ〜１２ｃの電源がＯＮされた後Ｓ２４２で温度制御処理４が実行される一方、閉鎖状態であると判別された場合には、Ｓ２４３で温度制御処理２（図１８のサブルーチン）が実行される。この温度制御処理２は、温度検知手段としての第２サーミスタ１４によって検出される温度が予め設定された第１の温度範囲（Ｋ１＋５℃〜Ｋ１−５℃）内となるように第２ヒータ群１２ａ〜１２ｃをＯＮ状態とＯＦＦ状態とに切換制御する処理であり、温度制御処理４は、温度検知手段としての第２サーミスタ１４によって検出される温度が上記した第１の温度範囲の上限温度及び下限温度よりもそれぞれ高い予め設定された第２の温度範囲（Ｋ１＋８℃〜Ｋ１−２℃）内となるように第２ヒータ群１２ａ〜１２ｃをＯＮ状態とＯＦＦ状態とに切換制御する処理である。
【００５０】
上記したＳ２２０〜Ｓ２３１及びＳ２３２〜Ｓ２４３に示す処理は、玉抜き装置１６，１７が閉鎖状態となっているときに温度検知手段としての第１サーミスタ１３又は第２サーミスタ１４によって検出される温度が予め設定された第１の温度範囲内となるように加熱手段としての第１ヒータ群１１ａ〜１１ｃ又は第２ヒータ群１２ａ〜１２ｃをＯＮ状態とＯＦＦ状態とに切換制御する一方、玉抜き装置１６，１７が開放状態となっているときに温度検知手段としての第１サーミスタ１３又は第２サーミスタ１４によって検出される温度が前記第１の温度範囲の上限温度及び下限温度よりもそれぞれ高い予め設定された第２の温度範囲内となるように加熱手段としての第１ヒータ群１１ａ〜１１ｃ又は第２ヒータ群１２ａ〜１２ｃをＯＮ状態とＯＦＦ状態とに切換制御することを示している。このため、玉抜き装置１６，１７の閉鎖状態時に所定の温度範囲内で補給樋９，１０の温度が保持されるため補給樋９，１０を流下する遊技玉が過剰に予熱されることもない一方、玉抜き装置１６，１７の開放状態時に閉鎖状態時の温度範囲の上限温度及び下限温度よりもそれぞれ高い温度範囲で補給樋９，１０の温度が保持されるため、補給樋９，１０を流下する遊技玉が過剰に予熱されることもないと共に当該補給樋９，１０を流下する遊技玉の温度が低下することなく十分な除湿機能を保持することができる。また、Ｓ２２８〜Ｓ２２９及びＳ２４０〜Ｓ２４１に示すように、玉抜き装置１６，１７が閉鎖状態から開放状態に切り換わったときに、ヒータ１１ａ〜１１ｃ、１２ａ〜１２ｃをＯＮ状態に保持制御し、その後第２の温度範囲内となるようにヒータ１１ａ〜１１ｃ、１２ａ〜１２ｃをＯＮ状態とＯＦＦ状態とに切換制御する温度制御処理３，４に移行するようにしたので、第２の温度範囲への移行をスムーズに行うことができる。
【００５１】
なお、温度制御処理３，４は、図１７及び図１８に示す温度制御処理１，２とほぼ同じであるが、この温度制御処理３，４について図２２及び図２３を参照して説明する。温度制御処理３は、図２２に示すように、Ｓ２５０で制御開始カウンタＴに「１」を加算し、Ｓ２５１で制御開始カウンタＴの値が「１」であるか否かが判別される。管理端末装置４０又はスイッチパネル２３からの制御開始信号が導出された直後の制御回路カウンタＴの値は、「１」であるためＳ２５２で第１ヒータ群１１ａ〜１１ｃの電源をＯＮにするが、一旦ＯＮとなった後には、Ｓ２５２の処理を飛ばして次のＳ２５３の処理に進む。Ｓ２５３では、第１サーミスタ１３から出力される温度信号により第１補給樋９の温度を算出し、その算出した第１補給樋９の温度が危険上限温度である８０℃を超えているか否かがＳ２５４で判別されると共に危険下限温度である−３０℃より低いか否かがＳ２５５で判別される。第１補給樋９の温度が危険上限温度を超している場合又は危険下限温度より低い場合には、第１サーミスタ１３が故障している可能性が極めて高いため、Ｓ２５６で管理端末装置４０、スイッチパネル２３、及び島端ＬＣＤ２１にサーミスタ異常信号を送信すると共に、Ｓ２５７で第１ヒータ群１１ａ〜１１ｃの電源をＯＦＦとし、次いでＳ２５８でヒータ制御フラグ１を停止中に設定する。
【００５２】
一方、第１補給樋９の温度が危険上限温度未満である場合又は危険下限温度より高い場合には、Ｓ２５９で第１補給樋９の温度が第２上限温度（前記Ｓ２１２で設定されている）よりも高いか否かが判別され、高ければＳ２６０で第１ヒータ群１１ａ〜１１ｃの電源をＯＦＦとし、高くなければＳ２６０の処理を実行することなく次のＳ２６１に進む。Ｓ２６１では、第１補給樋９の温度が第２下限温度（前記Ｓ２１４で設定されている）よりも低いか否かが判別され、低ければＳ２６２で第１ヒータ群１１ａ〜１１ｃの電源をＯＮとし、低くなければＳ２６２の処理を実行することなくサブルーチンを終了する。
【００５３】
また、温度制御処理４は、図２３に示すように、Ｓ２７０で制御開始カウンタＳに「１」を加算し、Ｓ２７１で制御開始カウンタＳの値が「１」であるか否かが判別される。管理端末装置４０又はスイッチパネル２３からの制御開始信号が導出された直後の制御回路カウンタＳの値は、「１」であるためＳ２７２で第２ヒータ群１２ａ〜１２ｃの電源をＯＮにするが、一旦ＯＮとなった後には、Ｓ２７２の処理を飛ばして次のＳ２７３の処理に進む。Ｓ２７３では、第２サーミスタ１４から出力される温度信号により第２補給樋１０の温度を算出し、その算出した第２補給樋１０の温度が危険上限温度である８０℃を超えているか否かがＳ２７４で判別されると共に危険下限温度である−３０℃より低いか否かがＳ２７５で判別される。第２補給樋１０の温度が危険上限温度を超している場合又は危険下限温度より低い場合には、第２サーミスタ１４が故障している可能性が極めて高いため、Ｓ２７６で管理端末装置４０、スイッチパネル２３、及び島端ＬＣＤ２１にサーミスタ異常信号を送信すると共に、Ｓ２７７で第２ヒータ群１２ａ〜１２ｃの電源をＯＦＦとし、次いでＳ２７８でヒータ制御フラグ２を停止中に設定する。
【００５４】
一方、第２補給樋１０の温度が危険上限温度未満である場合又は危険下限温度より高い場合には、Ｓ２７９で第２補給樋１０の温度が第２上限温度（前記Ｓ２１７で設定されている）よりも高いか否かが判別され、高ければＳ２８０で第２ヒータ群１２ａ〜１２ｃの電源をＯＦＦとし、高くなければＳ２８０の処理を実行することなく次のＳ２８１に進む。Ｓ２８１では、第２補給樋１０の温度が第２下限温度（前記Ｓ２１９で設定されている）よりも低いか否かが判別され、低ければＳ２８２で第２ヒータ群１２ａ〜１２ｃの電源をＯＮとし、低くなければＳ２８２の処理を実行することなくサブルーチンを終了する。
【００５５】
以上、第１実施形態に係るヒータ制御処理及び第２実施形態に係るヒータ制御処理について説明してきたが、それらの実施形態においては、左右の補給樋９，１０に設けられる第１ヒータ群１１ａ〜１１ｃと第２ヒータ群１２ａ〜１２ｃとに別々のサーミスタ１３，１４を設けてそれぞれ制御するものを示したが、左右いずれか一方の補給樋にサーミスタを設け、そのサーミスタからの温度信号に基づいて両方のヒータ群を同時に制御するものであっても良い。
【図面の簡単な説明】
【００５６】
【図１】遊技島台の内部構造の概略を示す正面図である。
【図２】スイッチパネルの詳細を説明するための説明図である。
【図３】コントロールボックスの制御回路図である。
【図４】コントロールボックスと接続される管理端末装置の画面に表示される画像を説明するための説明図である。
【図５】同じく、コントロールボックスと接続される管理端末装置の画面に表示される画像を説明するための説明図である。
【図６】島端ＬＣＤに表示される画像を説明するための説明図である。
【図７】管理端末装置画面と島端ＬＣＤ画面とスイッチパネルに表示される色彩を説明するための説明図である。
【図８】ヒータ制御処理のメインルーチンを示すフロー図である。
【図９】メインルーチン中のステップＳ１の温度設定処理サブルーチンを示すフロー図である。
【図１０】メインルーチン中のステップＳ２のモード遷移処理サブルーチンを示すフロー図である。
【図１１】メインルーチン中のステップＳ４のヒータ制御開始処理１サブルーチンを示すフロー図である。
【図１２】メインルーチン中のステップＳ５のヒータ制御停止処理１サブルーチンを示すフロー図である。
【図１３】メインルーチン中のステップＳ６のヒータ制御開始処理２サブルーチンを示すフロー図である。
【図１４】メインルーチン中のステップＳ７のヒータ制御停止処理２サブルーチンを示すフロー図である。
【図１５】メインルーチン中のステップＳ８のヒータ定期監視処理サブルーチンの前半部分を示すフロー図である。
【図１６】メインルーチン中のステップＳ８のヒータ定期監視処理サブルーチンの後半部分を示すフロー図である。
【図１７】ヒータ定期監視処理サブルーチン中のＳ７０の温度制御処理１サブルーチンを示すフロー図である。
【図１８】ヒータ定期監視処理サブルーチン中のＳ８１の温度制御処理２サブルーチンを示すフロー図である。
【図１９】第２実施形態に係るメインルーチン中のステップＳ１の温度設定処理サブルーチンを示すフロー図である。
【図２０】メインルーチン中のステップＳ８のヒータ定期監視処理サブルーチンの前半部分を示すフロー図である。
【図２１】メインルーチン中のステップＳ８のヒータ定期監視処理サブルーチンの後半部分を示すフロー図である。
【図２２】ヒータ定期監視処理サブルーチン中のＳ２３０の温度制御処理３サブルーチンを示すフロー図である。
【図２３】ヒータ定期監視処理サブルーチン中のＳ２４２の温度制御処理４サブルーチンを示すフロー図である。
【符号の説明】
【００５７】
１  遊技島台
２  遊技機設置部
４  点検扉
５  点検扉
７  第１点検扉センサ
８  第２点検扉センサ
９  第１補給樋
１０  第２補給樋
１１ａ〜１１ｃ  第１ヒータ（加熱装置）
１２ａ〜１２ｃ  第２ヒータ（加熱装置）
１３  第１サーミスタ（温度検知手段）
１４  第２サーミスタ（温度検知手段）
１６  第１玉抜き装置
１７  第２玉抜き装置
２１  島端ＬＣＤ
２３  スイッチパネル
３０  コントロールボックス（制御手段）
３１  メイン制御基板
３２  通信基板
４０  管理端末装置
【図１】
2009050497.tif 000003
【図２】
2009050497.tif 000004
【図３】
2009050497.tif 000005
【図４】
2009050497.tif 000006
【図５】
2009050497.tif 000007
【図６】
2009050497.tif 000008
【図７】
2009050497.tif 000009
【図８】
2009050497.tif 000010
【図９】
2009050497.tif 000011
【図１０】
2009050497.tif 000012
【図１１】
2009050497.tif 000013
【図１２】
2009050497.tif 000014
【図１３】
2009050497.tif 000015
【図１４】
2009050497.tif 000016
【図１５】
2009050497.tif 000017
【図１６】
2009050497.tif 000018
【図１７】
2009050497.tif 000019
【図１８】
2009050497.tif 000020
【図１９】
2009050497.tif 000021
【図２０】
2009050497.tif 000022
【図２１】
2009050497.tif 000023
【図２２】
2009050497.tif 000024
【図２３】
2009050497.tif 000025